(57)【要約】【課題】画像再生ボタン等を操作することなしに、撮像装置本体の動作モードを再生モードに切り換えることができ、撮像装置本体の操作を容易にした、光学ユニット着脱式撮像装置を提供する。【解決手段】撮像装置本体２と、撮像装置本体２に対して着脱を可能とされるレンズユニット３（光学ユニット）と、撮像装置本体２からのレンズユニット３の取外しを検出する取外し検出装置Ｄ１と、撮像装置本体２の動作を制御するシステムコントローラ２２（制御装置）とを設ける。撮像装置本体２を画像再生機能を備える構成とする。システムコントローラ２２を、取外し検出装置Ｄ１によって撮像装置本体からのレンズユニット３の取り外しが検出されたことをもって撮像装置本体２の動作モードを再生モードに切り換える構成とする。【選択図】    図２
2008085433.tif 000002
【特許請求の範囲】
【請求項１】
撮像装置本体と、
該撮像装置本体に対して着脱を可能とされる光学ユニットと、
前記撮像装置本体からの前記光学ユニットの取外しを検出する取外し検出装置と、
前記撮像装置本体の動作を制御する制御装置とを有しており、
前記撮像装置本体が、撮影した画像情報を記憶する記憶装置と、画像表示装置とを備えるとともに、該画像表示装置に画像情報を表示する画像再生機能を備えており、
前記制御装置が、前記取外し検出装置によって前記撮像装置本体からの前記光学ユニットの取り外しが検出されたことをもって前記撮像装置本体の動作モードを再生モードに切り換える構成とされている光学ユニット着脱式撮像装置。
【請求項２】
撮像装置本体と、
該撮像装置本体に対して着脱を可能とされる光学ユニットと、
前記撮像装置本体からの前記光学ユニットの取外しを検出する取外し検出装置と、
前記撮像装置本体の動作を制御する制御装置とを有しており、
前記撮像装置本体が、撮影した画像情報を記憶する記憶装置と、
該記憶装置に記憶されている前記画像情報を表示する画像表示装置とを有しており、
前記制御装置が、前記取外し検出装置によって前記撮像装置本体からの前記光学ユニットの取り外しが検出されたことをもって、前記記憶装置及び前記画像表示装置の動作を制御して、前記記憶装置に記憶されている前記画像情報を前記画像表示装置に表示させる光学ユニット着脱式撮像装置。
【請求項３】
前記制御装置が、前記取外し検出装置によって前記撮像装置本体からの前記光学ユニットの取外しが検出された時点で、前記記憶装置に記憶された前記画像情報のうち、最後に記憶された画像情報を前記画像表示装置に表示させる構成とされている請求項１または２に記載の光学ユニット着脱式撮像装置。
【請求項４】
前記取外し検出装置が、前記撮像装置本体への前記光学ユニットの装着時に前記撮像装置本体における前記光学ユニットに対向する部位に設けられて、前記光学ユニットが前記撮像装置本体に装着された際に前記光学ユニットによって操作されてＯＮ／ＯＦＦが切り換えられる第一検出スイッチを有する請求項１から３のいずれかに記載の光学ユニット着脱式撮像装置。
【請求項５】
前記光学ユニットが、前記撮像装置本体に装着された状態で該撮像装置本体に対して相対回転可能とされており、
前記撮像装置本体に装着されている状態での該撮像装置本体に対する前記光学ユニットの相対回転を検出する変位検出装置が設けられ、
該変位検出装置が、前記撮像装置本体に対する前記光学ユニットの相対回転量と回転方向とのうちの少なくともいずれか一方の情報を検出する構成とされている請求項１から４のいずれかに記載の光学ユニット着脱式撮像装置。
【請求項６】
前記変位検出装置が、前記撮像装置本体に前記光学ユニットが装着されている状態では該光学ユニットに当接するとともに前記撮像装置本体に対する前記光学ユニットの相対回転に伴って回転されるローラと、
該ローラの回転量と回転方向とのうちの少なくともいずれか一方の情報を検出する回転検出装置とを有しており、
前記変位検出装置が、前記回転検出装置によって検出された前記ローラの回転量と回転方向とのうちの少なくともいずれか一方の情報に基づいて前記撮像装置本体に対する前記光学ユニットの相対回転を検出する構成とされている請求項５に記載の光学ユニット着脱式撮像装置。
【請求項７】
前記変位検出装置が、前記光学ユニットが前記撮像装置本体に装着された状態で該撮像装置本体に対して相対回転されることでＯＮ／ＯＦＦが切り換えられる第二検出スイッチを有しており、
前記変位検出装置が、前記第二検出スイッチのＯＮ／ＯＦＦの状態に基づいて前記撮像装置本体に対する前記光学ユニットの相対回転を検出する構成とされている請求項５に記載の光学ユニット着脱式撮像装置。
【請求項８】
前記撮像装置本体が時間を計数するタイマを有しており、
前記制御装置が、前記取外し検出装置によって前記撮像装置本体からの前記光学ユニットの取外しが検出された時点から前記タイマが基準時間を計数した時点で前記撮像装置本体の電源をＯＦＦにする構成とされている請求項１から７のいずれかに記載の光学ユニット着脱式撮像装置。
【請求項９】
前記画像表示装置が、電力の供給なしに表示内容を保持する不揮発性画像表示装置である請求項１から８のいずれかに記載の光学ユニット着脱式撮像装置。
【発明の詳細な説明】
【技術分野】
【０００１】
この発明は、撮像装置本体に対して光学ユニットを着脱可能な構成の撮像装置に関するものである。
【背景技術】
【０００２】
従来、多くのデジタルスチルカメラは画像表示機能を備えており、撮影により取得した画像を表示する画像再生機能を有している（例えば後記の特許文献１参照）。
通常、画像再生機能を使用する場合には、デジタルスチルカメラの使用者が、カメラ本体に設けられた単機能の画像再生ボタンを操作するか、デジタルスチルカメラの画像表示機能によって表示されるメッセージに従って汎用の操作ボタンを操作して、デジタルスチルカメラに画像再生指令を入力する。
【０００３】
【特許文献１】特開平１１−３４１５１４号公報
【発明の開示】
【発明が解決しようとする課題】
【０００４】
しかしながら、デジタルスチルカメラは、年々小型化の一途をたどっている。このようにデジタルスチルカメラが小型化すると、カメラ本体における画像再生ボタンの設置スペース及び画像再生ボタンも小型化するので、カメラ本体や画像再生ボタン自体に、画像再生ボタンを識別するための表示を設けることが困難となる。これにより、使用者が画像再生ボタンの判別、及び画像再生ボタンの操作を行うことが困難となる。
また、メッセージに従って操作ボタンを操作することで画像再生機能を利用する場合であっても、暗闇等、メッセージを視認できない状況下では操作が困難である。また、メッセージに従って操作ボタンを操作する場合には、複数ステップの操作を行う必要があり、操作ボタンの操作が煩雑である。
【０００５】
この発明は上述した事情に鑑みてなされたものであって、使用者の意図に従って撮像装置本体の動作モードを再生モードに切り換えることができ、撮像装置本体の動作モードの切換操作を容易にした、光学ユニット着脱式撮像装置を提供することを目的としている。
【課題を解決するための手段】
【０００６】
上記目的を達成するために、本発明は、以下の手段を提供する。
本発明は、撮像装置本体と、該撮像装置本体に対して着脱を可能とされる光学ユニットと、前記撮像装置本体からの前記光学ユニットの取外しを検出する取外し検出装置と、前記撮像装置本体の動作を制御する制御装置とを有しており、前記撮像装置本体が、撮影した画像情報を記憶する記憶装置と、画像表示装置とを備えるとともに、該画像表示装置に画像情報を表示する画像再生機能を備えており、前記制御装置が、前記取外し検出装置によって前記撮像装置本体からの前記光学ユニットの取り外しが検出されたことをもって前記撮像装置本体の動作モードを再生モードに切り換える構成とされている光学ユニット着脱式撮像装置を提供する。
【０００７】
このように構成される光学ユニット着脱式撮像装置では、撮像装置本体から光学ユニットを取り外すことで、取外し検出装置によって光学ユニットの装着が検出される。取外し検出装置によって光学ユニットの取外しが検出されると、制御装置が、撮像装置本体の動作モードを再生モードに切り換える。
【０００８】
また、本発明は、撮像装置本体と、該撮像装置本体に対して着脱を可能とされる光学ユニットと、前記撮像装置本体からの前記光学ユニットの取外しを検出する取外し検出装置と、前記撮像装置本体の動作を制御する制御装置とを有しており、前記撮像装置本体が、撮影した画像情報を記憶する記憶装置と、該記憶装置に記憶されている前記画像情報を表示する画像表示装置とを有しており、前記制御装置が、前記取外し検出装置によって前記撮像装置本体からの前記光学ユニットの取り外しが検出されたことをもって、前記記憶装置及び前記画像表示装置の動作を制御して、前記記憶装置に記憶されている前記画像情報を前記画像表示装置に表示させる光学ユニット着脱式撮像装置を提供する。
【０００９】
このように構成される光学ユニット着脱式撮像装置では、撮像装置本体から光学ユニットを取り外すことで、取外し検出装置によって光学ユニットの装着が検出される。取外し検出装置によって光学ユニットの取外しが検出されると、制御装置が、記憶装置及び画像表示装置の動作を制御して、記憶装置に記憶されている画像情報を画像表示装置に表示させる。
【００１０】
使用者が撮像装置本体から光学ユニットを取り外すという動作は、使用者の、これから撮影を終了する、という意図に基づくものである。このため、このように撮像装置本体から光学ユニットが取り外されたことをもって撮像装置本体の動作モードを再生モードに切り換える構成や、撮像装置本体から光学ユニットが取り外されたことをもって記憶装置に記憶されている画像情報を画像表示装置に表示させる構成を採用することで、画像再生ボタン等を操作することなしに、使用者の意図に従って撮像装置本体の動作モードを再生モードに切り換えたり、記憶装置に記憶されている画像情報を画像表示装置に表示させたりすることができる。
すなわち、本発明に係る光学ユニット着脱式撮像装置では、画像再生ボタンを省略することができる。
【００１１】
また、撮像装置の小型化を図りつつ、撮像装置の操作性を維持するためには、撮像装置本体における各種操作スイッチの設置スペースを十分に確保する必要がある。
本発明に係る光学ユニット着脱式撮像装置では、上記のように、画像再生ボタンを設ける必要がないので、撮像装置本体に画像再生ボタンの設置スペースを確保する必要がない。
これにより、各種操作スイッチの設置スペースを確保することができるので、撮像装置本体についてはさらなる小型化を図りつつ各種操作スイッチについては小型化せずに操作性を維持したり、各種操作スイッチのレイアウトを工夫して操作性の向上を図ったりすることができる。
【００１２】
撮像装置の構成部材のうち、光学ユニットについては、その特性から、小型化が困難である。すなわち、撮像装置が小型化しても、光学ユニットは、撮像装置全体において比較的大きなボリュームを占めている。このため、光学ユニットは、手探りでも容易に判別することができる。
【００１３】
本発明に係る光学ユニット着脱式撮像装置では、手探りでも容易に判別可能な光学ユニットを操作することで、撮像装置本体の動作モードを再生モードに切り換えたり、記憶装置に記憶されている画像情報を画像表示装置に表示させたりすることができる。このため、本発明に係る光学ユニット着脱式撮像装置では、例えば画像再生ボタン等の位置を目視によって確認してから画像再生ボタン等を操作したり、画像再生ボタン等を手探りで操作したり、撮像装置の画像表示機能によって表示されるメッセージに従って汎用の操作ボタンを操作する場合に比べて、撮像装置本体の動作モードを迅速に再生モードに切り換えたり、記憶装置に記憶されている画像情報を迅速に画像表示装置に表示させることができる。
【００１４】
なお、ここでいう撮像装置本体とは、着脱式の光学ユニットを装着することによって初めて撮像が可能となる構成のものであってもよい。また、撮像装置本体は、単体での撮像が可能な構成の撮像光学系が組み込まれていて、着脱式の光学ユニットを装着することによって撮像機能が拡張される構成とされていてもよい。
【００１５】
ここで、一般的に、撮像装置によって撮影を行った場合、撮影直後に、取得した画像情報が良好なものであるかどうか確認が行われる。すなわち、撮像装置の記憶装置に記憶された画像情報のうち、最後に記憶装置に記憶された画像情報が、最も閲覧頻度が高い。
そこで、前記制御装置が、前記取外し検出装置によって前記撮像装置本体からの前記光学ユニットの取外しが検出された時点で、前記記憶装置に記憶された前記画像情報のうち、最後に記憶された画像情報を前記画像表示装置に表示させる構成とされていてもよい。
この場合には、再生モードに切り替わった際、もしくは記憶装置に記憶されている画像情報の表示を行った際に、最初に最も閲覧頻度の高い画像情報が表示されることになる。これにより、多くの場合において、画像表示装置に画像情報を表示する際における表示対象となる画像情報の選択操作を省略することができ、撮像装置本体の操作を簡略化することができる。
【００１６】
また、前記取外し検出装置が、前記撮像装置本体への前記光学ユニットの装着時に前記撮像装置本体における前記光学ユニットに対向する部位に設けられて、前記光学ユニットが前記撮像装置本体に装着された際に前記光学ユニットによって操作されてＯＮ／ＯＦＦが切り換えられる第一検出スイッチを有する構成とされていてもよい。
【００１７】
この場合には、第一検出スイッチのＯＮ／ＯＦＦに基づいて、撮像装置本体からの光学ユニットの取外しの検出が行われるので、取外し検出装置の構成が簡素となり、製造コストを抑えられる。
また、第一検出スイッチは、撮像装置本体への光学ユニットの装着時に撮像装置本体における光学ユニットに対向する部位に設けられている。すなわち、第一検出スイッチは、撮像装置本体のうち、光学ユニットの装着時には光学ユニットによって隠される位置（デッドスペース）に設けられている。このため、第一検出スイッチを設けても、撮像装置本体において他の操作スイッチ等の設置スペースを犠牲にすることがなく、操作性を維持することができる。
【００１８】
また、前記光学ユニットが、前記撮像装置本体に装着された状態で該撮像装置本体に対して相対回転可能とされており、前記撮像装置本体に装着されている状態での該撮像装置本体に対する前記光学ユニットの相対回転を検出する変位検出装置が設けられ、該変位検出装置が、前記撮像装置本体に対する前記光学ユニットの相対回転量と回転方向とのうちの少なくともいずれか一方の情報を検出する構成とされていてもよい。
【００１９】
この場合には、撮像装置本体に光学ユニットを装着して撮像装置本体の電源がＯＮになったのちに、撮像装置本体に対して光学ユニットを相対回転させることで、この回転が変位検出装置に検出される。変位検出装置によって撮像装置本体に対する光学ユニットとの相対回転が検出されると、制御装置が撮像装置本体の動作モードを切り換える。
これにより、モード切替スイッチを操作することなしに、撮像装置本体の動作モードの切換を行うことができる。すなわち、この場合には、モード切替スイッチを省略することができる。
【００２０】
また、撮像装置本体に光学ユニットを装着する際には、使用者は撮像装置本体と光学ユニットとを保持している。このため、使用者は、撮像装置本体に光学ユニットを装着する動作を行ったのちは、光学ユニット着脱式撮像装置を持ち直すことなしに、速やかに撮像装置本体と光学ユニットとを相対回転させることができる。すなわち、使用者は、撮像装置本体への光学ユニットの装着動作に連続して、所望の動作モード（例えば撮影条件設定モード）への切換動作を行うことができる。
このため、本発明では、撮像装置本体に光学ユニットを装着したのちに光学ユニット着脱式撮像装置を持ち直してモード切替スイッチ等を操作する場合に比べて、光学ユニット着脱式撮像装置の操作を円滑に行うことができる。
【００２１】
この場合には、撮像装置本体に対して光学ユニットを相対回転させることで、撮像装置本体の動作モードの切換を行うことができる。
ここで、撮像装置本体に対して光学ユニットの相対回転させる構成としては、例えば、光学ユニットをその光軸回りに回転させる構成を採用することができる。この場合には、光学ユニットの光軸をずらすことなく撮像装置本体の動作モードの切換を行うことができるので、撮像モードに移行した際に、直ちに撮像を行うことができる。
【００２２】
前記変位検出装置が、前記撮像装置本体に前記光学ユニットが装着されている状態では該光学ユニットに当接するとともに前記撮像装置本体に対する前記光学ユニットの相対回転に伴って回転されるローラと、該ローラの回転量と回転方向とのうちの少なくともいずれか一方の情報を検出する回転検出装置とを有しており、前記変位検出装置が、前記回転検出装置によって検出された前記ローラの回転量と回転方向とのうちの少なくともいずれか一方の情報に基づいて前記撮像装置本体に対する前記光学ユニットの相対回転を検出する構成とされていてもよい。
【００２３】
この場合には、撮像装置本体に対して光学ユニットを装着した状態では、光学ユニットにローラが当接する。このローラは、撮像装置本体と光学ユニットとの相対回転に伴って回転される。このときのローラの回転量と回転方向とのうちの少なくともいずれか一方の情報が、回転検出装置によって検出される。変位検出装置は、回転検出装置によって検出されたローラの回転量と回転方向とのうちの少なくともいずれか一方の情報に基づいて、撮像装置本体に対する光学ユニットの相対回転を検出する。
ローラは、撮像装置本体への光学ユニットの装着時に撮像装置本体における光学ユニットに対向する部位に設けられている。すなわち、ローラは、撮像装置本体のうち、光学ユニットの装着時には光学ユニットによって隠される位置（デッドスペース）に設けられているので、ローラを設けても、撮像装置本体において他の操作スイッチ等の設置スペースを犠牲にすることがなく、操作性を維持することができる。
【００２４】
前記変位検出装置が、前記光学ユニットが前記撮像装置本体に装着された状態で該撮像装置本体に対して相対回転されることでＯＮ／ＯＦＦが切り換えられる第二検出スイッチを有しており、前記変位検出装置が、前記第二検出スイッチのＯＮ／ＯＦＦの状態に基づいて前記撮像装置本体に対する前記光学ユニットの相対回転を検出する構成とされていてもよい。
【００２５】
この場合には、第二検出スイッチのＯＮ／ＯＦＦに基づいて、撮像装置本体に対する光学ユニットの相対回転の検出が行われるので、変位検出装置の構成が簡素となり、製造コストを抑えられる。
また、第二検出スイッチは、撮像装置本体への光学ユニットの装着時に撮像装置本体における光学ユニットに対向する部位に設けられている。すなわち、第二検出スイッチは、撮像装置本体のうち、光学ユニットの装着時には光学ユニットによって隠される位置（デッドスペース）に設けられている。このため、第二検出スイッチを設けても、撮像装置本体において他の操作スイッチ等の設置スペースを犠牲にすることがなく、操作性を維持することができる。
【００２６】
ここで、撮像装置本体に第二検出スイッチを複数個設けて、これら第二検出スイッチのＯＮ／ＯＦＦのパターンが撮像装置本体に対する光学ユニットの相対回転量によって変化する構成とし、変位検出装置が、これら第二検出スイッチのＯＮ／ＯＦＦのパターンに基づいて、撮像装置本体に対する光学ユニットの相対回転を検出する構成としてもよい。
この場合には、第二検出スイッチのＯＮ／ＯＦＦのパターンを複数用意し、各パターンにそれぞれ動作モードを対応させることで、三つ以上の動作モード間での動作モードの切換を行うことが可能となる。
【００２７】
また、前記撮像装置本体が時間を計数するタイマを有しており、前記制御装置が、前記取外し検出装置によって前記撮像装置本体からの前記光学ユニットの取外しが検出された時点から前記タイマが基準時間を計数した時点で前記撮像装置本体の電源をＯＦＦにする構成とされていてもよい。
この場合には、使用者が撮像装置本体の動作モードを再生モードに切り換えたり、画像表示装置に画像情報を表示したりしたのちに、撮像装置本体の操作を行わずに放置しても、撮像装置本体からの光学ユニットの取外しが検出された時点から所定の基準時間経過後に撮像装置本体の電源がＯＦＦとなるので、電源の消耗を抑えることができ、動作可能時間を延長することができる。
【００２８】
前記画像表示装置が、電力の供給なしに表示内容を保持する不揮発性画像表示装置であってもよい。
この場合には、画像表示装置は、一旦画像情報を表示したのちは、電力を消費せずに表示内容を維持するので、再生モード時における電源の消耗を抑えることができ、動作可能時間を延長することができる。
ここで、不揮発性画像表示装置としては、例えば、電子ペーパを用いることができる。電子ペーパとしては、ツイストボール方式、電気泳動方式、磁気泳動方式、電子分流体方式、帯電トナー型表示方式、液晶表示方式、電解析出方式、エレクトロクロミック方式、フィルム移動方式、及びその他の任意の方式のものを用いることができる。
【発明の効果】
【００２９】
本発明に係る光学ユニット着脱式撮像装置によれば、画像再生ボタン等を操作することなしに使用者の意図に従って撮像装置本体の動作モードを再生モードに切り換えることができるので、撮像装置本体の操作が容易となる。
【発明を実施するための最良の形態】
【００３０】
以下、本発明の実施形態について、図面を用いて説明する。
［第一実施形態］
本実施形態では、本発明を、デジタルスチルカメラに適用した例について説明する。
図１の斜視図に示すように、本実施形態に係るデジタルスチルカメラ１（光学ユニット着脱式撮像装置）は、撮像装置本体２と、撮像装置本体２に対して着脱を可能とされるレンズユニット３（光学ユニット）とを有している。
【００３１】
ここで、本実施形態では、撮像装置本体２は、レンズユニット３を装着することによって初めて撮像が可能となる構成とされている。なお、撮像装置本体２は、単体での撮像が可能な構成の撮像光学系が組み込まれていて、レンズユニット３を装着することによって撮像機能が拡張される構成とされていてもよい。
【００３２】
図１に示すように、撮像装置本体２は、箱形状をなす筐体１１を有している。筐体１１の正面側には、筐体１１の内部に連通する開口部１２が設けられている。開口部１２の内面は円筒面をなしており、筐体外面側の端部には、拡径部１２ａが設けられている。
また、筐体１１の外面には、レリーズスイッチや電源スイッチ等の各種操作スイッチ１３、ストロボ発光部１４等が設けられている。さらに、筐体１１の外面には、各種画像情報を表示する画像情報表示パネルや、撮像装置本体２の状態等の各種情報を表すインジケータランプ１５（図２のブロック図参照）等が設けられている。
【００３３】
ここで、画像表示パネルとしては、図２に示すように、電力の供給なしに表示内容を保持する不揮発性画像表示装置１６が用いられている。
不揮発性画像表示装置１６は、一旦画像情報を表示したのちは、電力を消費せずに表示内容を維持するので、撮像装置本体２の再生モード時における電源の消耗を抑えることができ、動作可能時間を延長することができる。
不揮発性画像表示装置１６としては、例えば、電子ペーパを用いることができる。電子ペーパとしては、ツイストボール方式、電気泳動方式、磁気泳動方式、電子分流体方式、帯電トナー型表示方式、液晶表示方式、電解析出方式、エレクトロクロミック方式、フィルム移動方式、及びその他の任意の方式のものを用いることができる。
なお、画像情報表示パネルとしては、上記の不揮発性画像表示装置１６の代わりに、例えばＬＣＤ（Liquid Crystal Display）パネルや、有機または無機ＥＬ（electroluminescence）ディスプレイパネル等、任意の構成のものを用いることができる。
【００３４】
図１に示すように、レンズユニット３は、略円筒形状をなすレンズハウジング３ａと、レンズハウジング３ａ内に設けられる光学レンズ３ｂとを有している。レンズハウジング３ａの軸線方向の一端には、撮像装置本体２との接続部３ｃが設けられている。
接続部３ｃは、レンズハウジング３ａと略同軸となる円筒状に形成されている。接続部３ｃの外径は拡径部１２ａの内径よりわずかに小径とされており、この接続部３ｃを拡径部１２ａ内に挿入することができるようになっている。
【００３５】
レンズユニット３は、接続部３ｃを拡径部１２ａに係合させるか、もしくは図示しない固定装置によって筐体１１に固定されることで、筐体１１に着脱可能にして装着されるようになっている。本実施形態では、レンズユニット３は、磁石を用いた吸着式の固定装置によって筐体１１に固定されるようになっている。
具体的には、図５に示すように、固定装置として、筐体１１とレンズユニット３とのうちのいずれか一方の部材に磁石Ｍが設けられ、他方の部材に磁石または磁性体が設けられており、レンズユニット３が磁石Ｍの吸着力によって筐体１１に固定されるようになっている。図５では、筐体１１に磁石Ｍを設け、レンズユニット３の接続部３ｃの少なくとも筐体１１に接触する部位自体を磁性体によって構成した例を示している。
ここで、固定装置としては、上記のような磁石を用いた吸着式の固定装置の他にも、例えばバヨネット式固定装置やねじ込み式固定装置など、他の任意の構成のものを用いることができる。
【００３６】
レンズユニット３は、撮像装置本体２に装着された状態で、撮像装置本体２に対して相対回転可能とされている。本実施形態では、撮像装置本体２とレンズユニット３とは、レンズユニット３の光軸回り（すなわちレンズハウジング３ａの軸線回り）に相対回転可能とされている。
【００３７】
以下、撮像装置本体２の全体構成について説明する。
撮像装置本体２は、撮像装置本体２を構成する各装置に電力を供給する電源部ＰＷと、電源スイッチＰＳＷと、ＣＰＵ（Central Processing Unit）等から構成されてデジタルスチルカメラ１の各部の制御を行うシステムコントローラ２０（制御装置）と、システムコントローラ２０の動作を制御する制御用シーケンスのプログラムや制御用の各種パラメータ等が予め格納されたＲＯＭ２０ａと、システムコントローラ２０による各種シーケンスの遂行に必要なデータを一時的に格納するワークエリアとして用いられるＲＡＭ２０ｂと、時間を計数するタイマＴとを有している。
また、撮像装置本体２には、撮像装置本体２からのレンズユニット３の取外しを検出する取外し検出装置Ｄ１と、撮像装置本体２に装着されている状態での撮像装置本体２に対するレンズユニット３の相対回転を検出する変位検出装置Ｄ２とが設けられている。
【００３８】
システムコントローラ２０は、使用者によって電源スイッチＰＳＷが操作されると、この操作に基づいて電源部ＰＷの動作を制御して、撮像装置本体２を構成する各装置への電力の供給を制御するものである。
具体的には、システムコントローラ２０は、電源スイッチＰＳＷがＯＮとされると、撮像装置本体２の電源をＯＮにする（電源部ＰＷから各装置への電力の供給を行う）。また、システムコントローラ２０は、電源スイッチＰＳＷがＯＦＦとされると、撮像装置本体２の電源をＯＦＦにする（電源部ＰＷからシステムコントローラ２０及び電源スイッチＰＳＷにのみ電力を供給する）。
【００３９】
また、システムコントローラ２０は、撮像装置本体２の電源がＯＮとなると、ＲＯＭ２０ａからプログラム，パラメータ等を読み出して所定の処理を行う。これにより、デジタルスチルカメラ１のシステムが起動し、電気的に撮影可能な状態となる。
ここで、撮像装置本体２は、複数の動作モードを有している。撮像装置本体２の動作モードとしては、例えば、撮影モードに加えて、撮影した画像等を不揮発性画像表示装置１６に表示する再生モードや、撮像装置本体２の各種動作設定を行う設定モード等、任意の動作モードを設けることができる。
【００４０】
システムコントローラ２０は、撮像装置本体２の電源がＯＮとなった状態では、取外し検出装置Ｄ１による撮像装置本体２からのレンズユニット３の取外しの有無に関する情報、並びに変位検出装置Ｄ２によって検出された撮像装置本体２に対するレンズユニット３の相対回転量と回転方向とのうちの少なくともいずれか一方の情報に基づいて、撮像装置本体２の動作モードを切り換える。言い換えると、システムコントローラ２０は、取外し検出装置Ｄ１及び変位検出装置Ｄ２の検出結果に基づいて、撮像装置本体２の動作モードを切り換える構成とされている。
【００４１】
具体的には、システムコントローラ２０は、取外し検出装置Ｄ１によって撮像装置本体２からのレンズユニット３の取外しが検出されたことをもって撮像装置本体２の動作モードを再生モードに切り換える。
なお、システムコントローラ２０は、取外し検出装置Ｄ１によって撮像装置本体２からのレンズユニット３の取外しが検出された際に、モード切替を行う代わりに、単純に、後述するフラッシュメモリ２８等の外部記憶装置及び不揮発性画像表示装置１６の動作を制御して、外部記憶装置に記憶されている画像情報を不揮発性画像表示装置１６に表示させる構成とされていてもよい。
また、システムコントローラ２０は、取外し検出装置Ｄ１によって撮像装置本体２からのレンズユニット３の取外しが検出されていない状態では、撮像装置本体２の動作モードを撮影モードに切り換える。
【００４２】
また、システムコントローラ２０は、取外し検出装置Ｄ１によって撮像装置本体２からのレンズユニット３の取外しが検出された時点からタイマＴが基準時間を計数した時点で撮像装置本体２の電源をＯＦＦにする構成とされている。
これにより、使用者が撮像装置本体２の動作モードを再生モードに切り換えたのちに、撮像装置本体２の操作を行わずに放置しても、撮像装置本体２の動作モードが再生モードに切り換えられてから所定の基準時間経過後に撮像装置本体２の電源がＯＦＦとなるので、電源の消耗を抑えることができ、動作可能時間を延長することができる。
なお、基準時間の長さは、任意とすることができる。
【００４３】
以下、取外し検出装置Ｄ１及び変位検出装置Ｄ２の構成について詳細に説明する。
撮像装置本体２において、レンズユニット３の装着時にレンズユニット３に対向する部位には、レンズユニット３が撮像装置本体２に装着された際にレンズユニット３によって操作されてＯＮ／ＯＦＦが切り換えられる第一検出スイッチＳＷ１が設けられている。
システムコントローラ２０は、第一検出スイッチＳＷ１のＯＮ／ＯＦＦの状態に基づいて、撮像装置本体２からのレンズユニット３の取外しを検出する構成とされている。すなわち、第一検出スイッチＳＷ１とシステムコントローラ２０とは、取外し検出装置Ｄ１を構成している。
【００４４】
本実施形態では、図３及び図４に示すように、第一検出スイッチＳＷ１は、撮像装置本体２の開口部１２のうち、拡径部１２ａの終端に形成される段部１２ｂに設けられたプッシュスイッチによって構成されている。第一検出スイッチＳＷ１は、被操作部Ｐ１が開口部１２の開口方向に位置するようにして段部１２ｂに埋め込まれている。これにより、図４に示すように、拡径部１２ａ内にレンズユニット３の接続部３ａが挿入されると、被操作部Ｐ１が接続部３ａの先端面によって押圧されて、第一検出スイッチＳＷ１のＯＮ／ＯＦＦが切り換えられるようになっている。
【００４５】
また、本実施形態では、図５及び図６に示すように、撮像装置本体２には、レンズユニット３が装着されている状態ではレンズユニット３に当接するとともに撮像装置本体２に対するレンズユニット３の相対回転に伴って回転されるローラＲと、ローラＲの回転量と回転方向とのうちの少なくともいずれか一方の情報を検出する回転検出装置Ｄ３とを有している。回転検出装置Ｄ３としては、例えばロータリーエンコーダなど、任意の構成のものを採用することができる。
システムコントローラ２０は、回転検出装置Ｄ３によって検出されたローラＲの回転量と回転方向とのうちの少なくともいずれか一方の情報に基づいて、撮像装置本体２に対するレンズユニット３の相対回転を検出する構成とされている。すなわち、ローラＲ，回転検出装置Ｄ３、及びシステムコントローラ２０は、変位検出装置Ｄ２を構成している。
【００４６】
本実施形態では、図５に示すように、ローラＲは、第一検出スイッチＳＷ１の被操作部Ｐ１の一部を構成しており、撮像装置本体２に対するレンズユニット３の装着方向に略直交する軸線回りに回転可能とされている。これにより、図６に示すように、撮像装置本体２にレンズユニット３が装着された状態では、ローラＲが第一検出スイッチＳＷ１の被操作部Ｐ１とともにレンズユニット３の接続部３ａによって押圧される。この状態では、第一検出スイッチＳＷ１のＯＮ／ＯＦＦが切り換えられるとともに、ローラＲがレンズユニットの接続部３ａの先端面に当接する。
【００４７】
この状態で、撮像装置本体２とレンズユニット３とがレンズユニット３の光軸回りに相対回転されると、これに伴ってローラＲが回転させられる。このときのローラＲの回転量と回転方向とのうちの少なくともいずれか一方が、回転検出装置Ｄ３によって検出される。そして、回転検出装置Ｄ３によってローラＲの回転量や回転方向が検出されたことをもって、変位検出装置Ｄ２が撮像装置本体２に対するレンズユニット３の相対回転を検出する。
【００４８】
以下、撮像装置本体２の細部の構成について説明する。
図２に示すように、撮像装置本体２において、レンズユニット３の背後には、イメージセンサ２１が配置されている。これにより、イメージセンサ２１の受光エリアには、レンズユニット３によって被写体画像が結像されるようになっている。
イメージセンサ２１としては、ＣＣＤ（Charge Coupled Devices）を用いたものや、ＣＭＯＳ（Complementary Metal Oxide Semiconductor）を用いたものなど、任意のものを用いることができる。本実施形態では、イメージセンサ２１として、ＣＣＤを用いたイメージセンサを用いている。
【００４９】
撮像装置本体２には、イメージセンサ２１を駆動するＣＣＤドライバ２２が設けられている。これにより、イメージセンサ２１は、レンズユニット３を介して得られた光学的な被写体画像を電気的な撮像信号に変換して出力する。
撮像装置本体２には、イメージセンサ２１が出力する撮像信号を増幅するアンプ２３と、アンプ２３の出力をデジタル変換するＡ／Ｄ変換器２４が設けられている。
【００５０】
イメージセンサ２１の受光面にはＲ，Ｇ，Ｂの微小なマイクロカラーフィルタがマトリクス状に配列されている。イメージセンサ２１から各マイクロカラーフィルタに対応する色ごとにシリアルに出力される撮影信号は、アンプ２３で適切なレベルに増幅された後、Ａ／Ｄ変換器２４によってデジタル変換されて、赤色，緑色、青色の各画像データとされる。
【００５１】
撮像装置本体２には、イメージセンサ２１によって得られた画像データに対してホワイトバランス調節、ガンマ補正などの各種データ処理を行うデータ処理回路２５と、データ処理回路２５によって処理された画像データを画像情報として不揮発性画像表示装置１６に表示する表示装置ドライバ２６とが設けられている。撮像装置本体２が撮影モードとなっている場合には、データ処理回路２５にはＡ／Ｄ変換器２４からの画像データが入力され、このデータ処理回路２５で必要な処理が行われた１画像分の画像データが次々に表示装置ドライバ２６に送られる。これにより、不揮発性画像表示装置１６には撮影中の被写体画像が動画として表示されるようになる。なお、システムコントローラ２０は、撮影モード時では、不揮発性画像表示装置１６にイメージセンサ２１で撮影中の画像を表示する表示モードと、不揮発性画像表示装置１６に撮影中の画像を表示しない非表示モードとに切り換えることができるようになっている。
【００５２】
また、撮像装置本体２には、撮像時の自動露出制御（ＡＥ制御）を行うＡＥ処理回路２７が設けられている。データ処理回路２５からの画像データは、ＡＥ処理回路２７にも送られる。このＡＥ処理回路２７は、入力される各画像データと、その時点でＣＣＤドライバ２２にセットされているイメージセンサ２１の電荷蓄積時間、すなわち電子シャッタのシャッタ秒時とに基づいてイメージセンサ２１の被写体輝度の測光値を算出する。そして、システムコントローラ２０は、この測光値に基づいて新たな電子シャッタのシャッタ秒時を決定し、このシャッタ秒時をＣＣＤドライバ２２にフィードバックする、これにより、イメージセンサ２１の駆動が調節され、ＡＥ制御が行われる。
【００５３】
上記のようにして、このデジタルカメラ１では、イメージセンサ２１を受光センサとしてＴＴＬ（Through The Lens) 測光方式によって被写体輝度を測定する。なお、電子シャッタのシャッタ秒時とともに絞り値を変化させてもよい。絞り値を変化させる場合には、絞り値を加味して被写体輝度に応じた測光値を算出するのはいうまでもない。
【００５４】
撮像装置本体２には、データ処理回路２５から出力された画像データを記録する外部記憶装置が設けられている。本実施形態では、外部記憶装置として、フラッシュメモリ２８が用いられている。このフラッシュメモリ２８は、撮像装置本体２に対して着脱を可能にして設けられている。
撮像装置本体２には、システムコントローラ２０と他の機器との間でのデータのやり取りを行うためのＩ／Ｏポート３１が設けられている。Ｉ／Ｏポート３１には、使用者の入力を受け付ける入力部３２と、外部の機器が接続される外部接続端子群３３が接続されている。
【００５５】
入力部３２は、例えば、レリーズスイッチ、ズームレバー、キー操作部等からなり、これらの操作に応じた信号は、Ｉ／Ｏポート３１を介してシステムコントローラ２０に入力される。システムコントローラ２０は、この入力信号に応じて、各種の処理、制御を行う。外部接続端子群３３は、外部記憶装置であるメモリカードを装着するメモリスロットや外部のコンピュータと接続するためのコネクタ等からなるものである。この外部接続端子群３３に外部記憶装置やコンピュータを接続することで、Ｉ／Ｏポート３１を介してデータの入出力を行うことができる。
【００５６】
ここで、再生モード時には、システムコントローラ２０は、入力部３２に入力された使用者の指示に基づいて、フラッシュメモリ２８または外部接続端子群３３に接続された外部記憶装置から表示対象となる画像データを読み出して、データ処理回路２５に送出する。これにより、表示対象の画像データが表示装置ドライバ２６に送られて、不揮発性画像表示装置１６に画像が表示される。
また、システムコントローラ２０は、撮像装置本体２の動作モードが再生モードに切り換えられた時点では、外部記憶装置に記憶された画像情報のうち、最後に記憶された画像情報を不揮発性画像表示装置１６に表示させる構成とされている。
【００５７】
このように構成されるデジタルスチルカメラ１では、前記のように、撮像装置本体２からレンズユニット３を取り外すことで、システムコントローラ２０が、撮像装置本体２の動作モードを再生モードに切り換える。
使用者が撮像装置本体２からレンズユニット３を取り外すという動作は、使用者の、これから撮影を終了する、という意図に基づくものである。
このため、このように撮像装置本体２からレンズユニット３が取り外されたことをもって撮像装置本体２の動作モードを再生モードに切り換える構成を採用することで、画像再生ボタン等を操作することなしに、使用者の意図に従って撮像装置本体２の動作モードを再生モードに切り換えることができる。
【００５８】
このように、このデジタルスチルカメラ１では、画像再生ボタンを操作することなしに、使用者の意図に従って撮像装置本体２の動作モードを切り換えることができるので、撮像装置本体２の動作モードの切換操作が容易となる。
また、このように、本実施形態に係るデジタルスチルカメラ１では、画像再生ボタンが不要であるため、撮像装置本体２に画像再生ボタンの設置スペースを確保する必要がない。このため、各種操作スイッチ１３の設置スペースを確保することができる。これにより、このデジタルスチルカメラ１では、撮像装置本体２についてはさらなる小型化を図りつつ各種操作スイッチ１３については小型化せずに操作性を維持したり、各種操作スイッチ１３のレイアウトを工夫して操作性の向上を図ったりすることができる。
【００５９】
また、このデジタルスチルカメラ１では、上記のように、撮像装置本体２に対してレンズユニット３を装着した状態で、撮像装置本体２に対してレンズユニット３を相対回転させることで、システムコントローラ２０が撮像装置本体２の動作モードを切り換える構成とされている。
これにより、モード切替スイッチ等を操作することなしに、撮像装置本体２の動作モードの切換を行うことができる。すなわち、このデジタルスチルカメラ１では、モード切替スイッチについても省略することができる。
【００６０】
ここで、一般的に、撮像装置によって撮影を行った場合、撮影直後に、取得した画像情報が良好なものであるかどうか確認が行われる。すなわち、撮像装置の記憶装置に記憶された画像情報のうち、最後に記憶装置に記憶された画像情報が、最も閲覧頻度が高い。
このため、本実施形態に係るデジタルスチルカメラ１では、システムコントローラ２０は、撮像装置本体２の動作モードが再生モードに切り換えられた時点では、外部記憶装置に記憶された画像情報のうち、最後に記憶された画像情報を不揮発性画像表示装置１６に表示させる構成とされている。
これにより、撮像装置本体２の動作モードが再生モードに切り替わった際に、最初に最も閲覧頻度の高い画像情報が表示されることになる。これにより、多くの場合において、再生モード時における表示する画像情報の選択操作を省略することができ、撮像装置本体２の操作を簡略化することができる。
【００６１】
また、本実施形態では、撮像装置本体２に対してレンズユニット３をその光軸回りに相対回転させることで、撮像装置本体２の動作モードの切換を行うことができる。
これにより、レンズユニット３の光軸をずらすことなく撮像装置本体２の動作モードの切換を行うことができるので、撮像モードに移行した際に、直ちに撮像を行うことができる。
【００６２】
また、このデジタルスチルカメラ１では、上記のように、装置全体において比較的大きなボリュームを占めていて手探りでも容易に判別可能なレンズユニット３を操作することで、撮像装置本体２の動作モードを操作することができる。このため、このデジタルスチルカメラ１では、例えばモード切替スイッチの位置を目視によって確認してからモード切替スイッチを操作したり、モード切替スイッチを手探りで操作したりする場合に比べて、迅速に撮像装置本体２の動作モードの切換操作を行うことができる。
【００６３】
また、撮像装置本体２にレンズユニット３を装着する際には、使用者は撮像装置本体２とレンズユニット３とを別々の手で保持している。このため、使用者は、撮像装置本体２にレンズユニット３を装着する動作を行ったのちは、デジタルスチルカメラ１を持ち直すことなしに、速やかに撮像装置本体２とレンズユニット３とを相対回転させることができる。すなわち、使用者は、撮像装置本体２へのレンズユニット３の装着動作に連続して、所望の動作モードへの切換動作を行うことができる。
このため、このデジタルスチルカメラ１では、撮像装置本体２にレンズユニット３を装着したのちにデジタルスチルカメラ１を持ち直してモード切替スイッチ等を操作する場合に比べて、デジタルスチルカメラ１の操作を円滑に行うことができる。
【００６４】
また、このデジタルスチルカメラ１では、取外し検出装置Ｄ１が、撮像装置本体２へのレンズユニット３の装着時に撮像装置本体２におけるレンズユニット３に対向する部位に設けられた第一検出スイッチＳＷ１のＯＮ／ＯＦＦの状態に基づいて撮像装置本体２からのレンズユニット３の取外しを検出する構成とされている。
このように、第一検出スイッチＳＷ１のＯＮ／ＯＦＦに基づいて、撮像装置本体２からのレンズユニット３の取外しの検出が行われるので、取外し検出装置Ｄ１の構成が簡素となり、製造コストを抑えられる。
【００６５】
また、第一検出スイッチＳＷ１は、撮像装置本体２へのレンズユニット３の装着時に撮像装置本体２におけるレンズユニット３に対向する部位に設けられている。すなわち、第一検出スイッチＳＷ１は、撮像装置本体２のうち、レンズユニット３の装着時にはレンズユニット３によって隠される位置（デッドスペース）に設けられている。このため、第一検出スイッチＳＷ１を設けても、撮像装置本体２において他の操作スイッチ１３等の設置スペースを犠牲にすることがなく、操作性を維持することができる。
【００６６】
［第二実施形態］
以下、本発明の第二実施形態について説明する。
本実施形態に示すデジタルスチルカメラ５１は、図７から図９に示すように、第一実施形態に示すデジタルスチルカメラ１において、変位検出装置Ｄ２の代わりに、変位検出装置Ｄ４を用いたことを主たる特徴とするものである。以下、第一実施形態と同様または同一の構成については同じ符号を用いて示し、詳細な説明を省略する。
【００６７】
本実施形態に係るデジタルスチルカメラ５１では、第一検出スイッチＳＷ１の被操作部Ｐ１から、変位検出装置Ｄ２を構成するローラＲ及び回転検出装置Ｄ３が削除されている。その代わりに、撮像装置本体２に、レンズユニット３が撮像装置本体２に装着された状態で撮像装置本体２に対して相対回転されることでＯＮ／ＯＦＦが切り換えられる第二検出スイッチＳＷ２が設けられている。また、デジタルスチルカメラ５１では、システムコントローラ２０が、第二検出スイッチＳＷ２のＯＮ／ＯＦＦの状態に基づいて撮像装置本体２に対するレンズユニット３の相対回転を検出する構成とされている。
すなわち、このデジタルスチルカメラ５１では、第二検出スイッチＳＷ２及びシステムコントローラ２０が、変位検出装置Ｄ４を構成している。
【００６８】
本実施形態では、第二検出スイッチＳＷ２は、撮像装置本体２の開口部１２のうち、拡径部１２ａの終端に形成される段部１２ｂに設けられたプッシュスイッチによって構成されている。段部１２ｂには、開口部１２の開口方向に向けて開口する収納穴１２ｃが設けられている。第二検出スイッチＳＷ２は、被操作部Ｐ２が収納穴１２ｃの開口方向（すなわち開口部１２の開口方向）に位置するようにして収納穴１２ｃ内に収納されている。
【００６９】
収納穴１２ｃ内には、第二検出スイッチＳＷ２の被操作部Ｐ２と収納穴１２ｃの開口端との間に、ボールＢが配置されている。また、収納穴１２ｃの開口端には、縮径部１２ｄが設けられている。縮径部１２ｄの内径は、ボールＢの外径よりもわずかに小径とされている。これにより、ボールＢは、収納穴１２ｃの開口端から一部を突出させることを許容されつつ、収納穴１２ｃ内に保持されるようになっている。
【００７０】
また、収納穴１２ｃ内には、ボールＢを収納穴１２ｃの開口端に向けて付勢する付勢部材５２が設けられている。本実施形態では、付勢部材５２として、コイルスプリングが用いられている。
これにより、ボールＢは、外力を受けない限り、収納穴１２ｃの縮径部１２ｄに押し付けられた状態にして保持されるようになっている。このようにボールＢが収納穴１２ｃの開口端に押し付けられた状態では、ボールＢの一部が段部１２ｂの表面よりも開口部１２の開口端側に突出させられる。
第二検出スイッチＳＷ２は、このようにボールＢが収納穴１２ｃの開口端に押し付けられた状態では動作せず、ボールＢが段部１２ｂの表面と略同じ位置まで押し戻された際には、ボールＢとともに被操作部Ｐ２が収納穴１２ｄの奥方に押し込まれて、第二検出スイッチＳＷ２が動作する（ＯＮ／ＯＦＦが切り換えられる）ようになっている。
【００７１】
一方、レンズユニット３の接続部３ｃの先端面には凹部３ｄが設けられている。本実施形態では、凹部３ｄの内面は、接続部３ｃの先端面に近付くほど拡径される円錐内面とされている。
また、筐体１１とレンズユニット３とのうちの少なくともいずれか一方には、筐体１１に対してレンズユニット３を装着する際の、筐体１１に対するレンズユニット３の姿勢を規制するガイド部材（図示せず）が設けられている。
これにより、レンズユニット３は、その光軸回りの向きを、凹部３ｄが筐体１１の開口部１２内に設けられる収納穴１２ｄに対向する向きとした状態でのみ、筐体１１に対して装着可能とされている。
【００７２】
以下、このように構成されるデジタルスチルカメラ５１の操作方法について説明する。
このデジタルスチルカメラ５１においても、撮像装置本体２に対してレンズユニット３を装着することで、撮像装置本体２の電源がＯＮとされる。
ここで、上記のように、撮像装置本体２に対してレンズユニット３を装着する際には、図７に示すように、レンズユニット３の凹部３ｄが、筐体１１の開口部１２内に設けられる収納穴１２ｄに対向させられる。
このため、撮像装置本体２に対するレンズユニット３の装着が完了した時点では、図８に示すように、開口部１２の段部１２ｂの表面より突出しているボールＢの一部が、レンズユニット３の凹部３ｄ内に収容される。
この状態では、ボールＢには付勢部材５２の付勢力以外の外力が加わらないので、ボールＢは収納穴１２ｃの開口端に押し付けられた状態に保たれる。
【００７３】
ここで、本実施形態では、システムコントローラ２０は、変位検出装置Ｄ４の被操作部Ｐ２が操作されていない状態では、撮像装置本体２の動作モードを撮影モードにするよう設定されている。これにより、撮像装置本体２に対してレンズユニット３を装着した時点では、撮像装置本体２は撮影モードとなるので、速やかに撮影を開始することができる。
【００７４】
次に、レンズユニット３を撮像装置本体２に対して相対移動させることで、図９に示すように、レンズユニット３の凹部３ｄが、筐体１１の開口部１２内に設けられる収納穴１２ｄに対向する位置から離間する。
この状態では、レンズユニット３の接続部３ｃの先端面によってボールＢが収納穴１２ｃ内に押し戻される。これにより、ボールＢとともに被操作部Ｐ２が収納穴１２ｄの奥方に押し込まれて、第二検出スイッチＳＷ２が動作する。
本実施形態では、システムコントローラ２０は、第二検出スイッチＳＷ２が操作された状態では、撮像装置本体２の動作モードを再生モードにするよう設定されている。
【００７５】
なお、上記のように、ボールＢは収納穴１２ｄから一部のみを突出させられており、また、凹部３ｄの内面は、接続部３ｃの先端面に近付くほど拡径される円錐内面とされている。これにより、レンズユニット３を撮像装置本体２に対して相対移動させた際に、ボールＢが凹部３ｄの内面に引っかかることなく、スムーズに収納穴１２ｃ内に収納されるので、モード切替操作をスムーズに行うことができる。
【００７６】
そして、レンズユニット３の凹部３ｄが筐体１１の開口部１２内に設けられる収納穴１２ｄに再び対向するように、レンズユニット３を撮像装置本体２に対して相対移動させることで、再びボールＢの一部がレンズユニット３の凹部３ｄ内に収容される。これにより、第二検出スイッチＳＷ２の操作が解除されて、撮像装置本体２の動作モードが、再び撮影モードに設定される。
【００７７】
このように構成されるデジタルスチルカメラ５１では、上記のように、第二検出スイッチＳＷ２のＯＮ／ＯＦＦに基づいて、撮像装置本体２に対するレンズユニット３の相対回転の検出が行われるので、変位検出装置の構成が簡素となり、製造コストを抑えられる。
また、第二検出スイッチＳＷ２は、撮像装置本体２へのレンズユニット３の装着時に撮像装置本体におけるレンズユニット３に対向する部位に設けられている。すなわち、第二検出スイッチＳＷ２は、撮像装置本体２のうち、レンズユニット３の装着時にはレンズユニット３によって隠される位置（デッドスペース）に設けられている。このため、第二検出スイッチＳＷ２を設けても、撮像装置本体２において他の操作スイッチ１３等の設置スペースを犠牲にすることがなく、操作性を維持することができる。
【００７８】
ここで、撮像装置本体２に第二検出スイッチＳＷ２を複数個設けて、これら第二検出スイッチＳＷ２のＯＮ／ＯＦＦのパターンが撮像装置本体２に対するレンズユニット３の相対回転量によって変化する構成とし、変位検出装置Ｄ４が、これら第二検出スイッチＳＷ２のＯＮ／ＯＦＦのパターンに基づいて、撮像装置本体２に対するレンズユニット３の相対回転を検出する構成としてもよい。
この場合には、第二検出スイッチＳＷ２のＯＮ／ＯＦＦのパターンを複数用意し、各パターンにそれぞれ動作モードを対応させることで、三つ以上の動作モード間での動作モードの切換を行うことが可能となる。
【００７９】
［第三実施形態］
以下、本発明の第三実施形態について説明する。
本実施形態に示すデジタルスチルカメラ７１は、図１０から図１１に示すように、第二実施形態に示すデジタルスチルカメラ５１において、変位検出装置Ｄ４の代わりに、変位検出装置Ｄ５を用いたことを主たる特徴とするものである。以下、第二実施形態と同様または同一の構成については同じ符号を用いて示し、詳細な説明を省略する。
【００８０】
本実施形態に係るデジタルスチルカメラ７１では、収納穴１２ｃ内にボールＢ及び付勢部材５２を設ける代わりに、第二検出スイッチＳＷ２が、被操作部Ｐ２の一部が収納穴１２ｃから突出するようにして設けられている。
第二検出スイッチＳＷ２は、被操作部Ｐ２が収納穴１２ｃから突出した状態（被操作部Ｐ２が段部１２ｂの表面よりも突出した状態）では動作せず、被操作部Ｐ２の先端が段部１２ｂの表面と略同じ位置まで押し戻された際にのみ、動作する（ＯＮ／ＯＦＦが切り換えられる）ようになっている。
本実施形態では、この第二検出スイッチＳＷ２及びシステムコントローラ２０が、変位検出装置Ｄ５を構成している。
【００８１】
また、本実施形態では、レンズユニット３の接続部３ｃの先端面に設けられる凹部３ｄの内面において、レンズユニット３を撮像装置本体２に対して相対移動させた際に第二検出スイッチＳＷ２の被操作部Ｐ２を受ける部位は、接続部３ｃの先端面に近付くほど凹部３ｄの中心から離間する傾斜面Ｆとされている。
これにより、レンズユニット３を撮像装置本体２に対して相対移動させた際に、被操作部Ｐ２が凹部３ｄの内面に引っかかることなく、スムーズに収納穴１２ｃ内に収納されるので、モード切替操作をスムーズに行うことができる。
【００８２】
本実施形態に係るデジタルスチルカメラ７１によれば、変位検出装置の構成がより簡素であるので、製造コストをさらに抑えることができる。
【００８３】
上記各実施形態では、本発明を、デジタルスチルカメラに適用した例について説明した。しかし、これに限られることなく、本発明は、写真フィルムを用いるカメラ，インスタントフイルムを用いるインスタントカメラ，ビデオカメラ等の各種のカメラに適用してもよい。
【図面の簡単な説明】
【００８４】
【図１】本発明の第一実施形態に係るデジタルスチルカメラ（光学ユニット着脱式撮像装置）の構成を示す斜視図である。
【図２】本発明の第一実施形態に係るデジタルスチルカメラの構成を示すブロック図である。
【図３】本発明の第一実施形態に係るデジタルスチルカメラにおける撮像装置本体の電源の操作の様子を示す図である。
【図４】本発明の第一実施形態に係るデジタルスチルカメラにおける撮像装置本体の電源の操作の様子を示す図である。
【図５】本発明の第一実施形態に係るデジタルスチルカメラにおける撮像装置本体のモード切替操作の様子を示す図である。
【図６】本発明の第一実施形態に係るデジタルスチルカメラにおける撮像装置本体のモード切替操作の様子を示す図である。
【図７】本発明の第二実施形態に係るデジタルスチルカメラの構成及び撮像装置本体のモード切替操作の様子を示す図である。
【図８】本発明の第二実施形態に係るデジタルスチルカメラの撮像装置本体のモード切替操作の様子を示す図である。
【図９】本発明の第二実施形態に係るデジタルスチルカメラの撮像装置本体のモード切替操作の様子を示す図である。
【図１０】本発明の第三実施形態に係るデジタルスチルカメラの構成及び撮像装置本体のモード切替操作の様子を示す図である。
【図１１】本発明の第三実施形態に係るデジタルスチルカメラにおける撮像装置本体のモード切替操作の様子を示す図である。
【図１２】本発明の第三実施形態に係るデジタルスチルカメラにおける撮像装置本体のモード切替操作の様子を示す図である。
【符号の説明】
【００８５】
１，５１，７１  デジタルスチルカメラ（光学ユニット着脱式撮像装置）
２  撮像装置本体
３  レンズユニット（光学ユニット）
１６  不揮発性画像表示装置
２０  システムコントローラ（制御装置）
２８  フラッシュメモリ（記憶装置）
Ｄ１  取外し検出装置
Ｄ２，Ｄ４，Ｄ５  変位検出装置
Ｄ３  回転検出装置
Ｒ  ローラ
ＳＷ１  第一検出スイッチ
ＳＷ２  第二検出スイッチ
Ｔ  タイマ
【図１】
2008085433.tif 000003
【図２】
2008085433.tif 000004
【図３】
2008085433.tif 000005
【図４】
2008085433.tif 000006
【図５】
2008085433.tif 000007
【図６】
2008085433.tif 000008
【図７】
2008085433.tif 000009
【図８】
2008085433.tif 000010
【図９】
2008085433.tif 000011
【図１０】
2008085433.tif 000012
【図１１】
2008085433.tif 000013
【図１２】
2008085433.tif 000014